(57)【要約】【課題】  織模様による表現豊かな布製絵本を提供することを目的とする。【解決手段】  本実施例における絵本１は、ページ１０と表紙３０とで構成されている。ページ１０は、布製であり、織模様によって絵又は文字が形成されている。形成された絵又は文字は、複数色の色糸を用いてジャガード織により形成されている。また、ページ１０は、絵又は文字が形成された帯状の基材シート１００を、交互に山折り及び谷折りした状態で、山折り及び谷折りの状態が維持されるように、基材シート１００の端部の少なくとも一部が縫合されている。【選択図】図１
2018103431.tif 000002
【特許請求の範囲】
【請求項１】
織模様によって絵又は文字が形成されている布製絵本。
【請求項２】
前記絵又は文字は、複数色の色糸を用いてジャガード織により形成されている
請求項１に記載の布製絵本。
【請求項３】
絵又は文字が形成された帯状の織物を、交互に山折り及び谷折りした状態で、該山折り及び谷折りの状態が維持されるように、前記織物の端部の少なくとも一部が縫合されている
請求項２に記載の布製絵本。
【請求項４】
絵又は文字が形成された帯状の織物を織る工程と、
前記織物を、交互に山折り及び谷折りする工程と、
交互に山折り及び谷折りした前記織物の端部を縫合する工程と
を有する絵本作成方法。
【請求項５】
前記帯状の織物を織る工程において、複数の帯状の織物が、一枚の織物として並行して織られ、
織られた一枚の織物を裁断して、複数の帯状の織物とする工程
をさらに有する絵本作成方法。
【発明の詳細な説明】
【技術分野】
【０００１】
本発明は、布製絵本、及び、絵本作成方法に関するものである。
【背景技術】
【０００２】
例えば、特許文献１には、長方形の１枚の布帛を、長手方向に沿って２つ折りにした後、その直交方向を折り目として屏風畳みしたものであって、これらの折り目で区切られた区画を一つの頁として絵や文字が配置されたものであることを特徴とする布帛製の本が開示されている。
また、特許文献２には、オリジナルの童話絵本と、同じストーリーの絵柄が展開される織物類タオルが１セットとして構成されており、童話絵本のストーリーの展開に合わせて、織物類タオルの特性である自由に「折る」「丸める」「広げる」ことにより、織物類タオル上で童話のストーリーの絵柄が順次展開されていく知育玩具が開示されている。
【０００３】
また、特許文献３には、主要構成要素が布生地により形成される絵本であって、背表紙により連結される表紙および裏表紙と、背表紙、表紙、裏表紙に囲まれて前記表紙と裏表紙との間に綴じ込み支持され絵本内容が盛り込まれている複数のページ片を具えてなり、前記表紙とページ片、ページ片相互、ならびにページ片と裏表紙とは、表紙とページ片との間、ページ片相互間、ならびにページ片と裏表紙との間に介装されるそれぞれの接続片により連結固着して構成され、ページ片の数、各ページ片を連結する接続片の数、背表紙の幅寸法の調整により絵本のページ数を紙製の絵本同様に自在に設定できるようにしたことを特徴とする布製絵本が開示されている。
【先行技術文献】
【特許文献】
【０００４】
【特許文献１】特開２００９−２０２４８０号公報
【特許文献２】特開２０１５−１３１０８０号公報
【特許文献３】特開２０１１−１３１４４９号公報
【発明の概要】
【発明が解決しようとする課題】
【０００５】
本発明は、織模様による表現豊かな布製絵本を提供することを目的とする。
【課題を解決するための手段】
【０００６】
本発明に係る布製絵本は、織模様によって絵又は文字が形成されている。
【０００７】
好適には、前記絵又は文字は、複数色の色糸を用いてジャガード織により形成されている。
【０００８】
好適には、絵又は文字が形成された帯状の織物を、交互に山折り及び谷折りした状態で、該山折り及び谷折りの状態が維持されるように、前記織物の端部の少なくとも一部が縫合されている。
【０００９】
また、本発明に係る絵本作成方法は、絵又は文字が形成された帯状の織物を織る工程と、前記織物を、交互に山折り及び谷折りする工程と、交互に山折り及び谷折りした前記織物の端部を縫合する工程とを有する。
【００１０】
好適には、前記帯状の織物を織る工程において、複数の帯状の織物が、一枚の織物として並行して織られ、織られた一枚の織物を裁断して、複数の帯状の織物とする工程をさらに有する。
【発明の効果】
【００１１】
本発明によれば、織模様による表現力豊かな布製絵本を形成することができる。
【図面の簡単な説明】
【００１２】
【図１】本実施例における絵本１を例示する図である。
【図２】絵本１の製造工程（Ｓ１０）を説明するフローチャートである。
【図３】基材シート１００の製造工程を説明する図である。
【図４】ページ片１２の裏返す前の状態を説明する図である。
【図５】ページ片１２の裏返した後の状態を説明する図である。
【図６】ページ１０に表紙１０を取り付けを説明する図である。
【発明を実施するための形態】
【００１３】
以下、本発明に係る実施形態を、図面を参照して説明する。ただし、本発明の範囲は、図示例に限定されるものではない。
【００１４】
図１は、本実施例における絵本１を例示する図である。
図１に例示するように、絵本１は、布製の本であり、例えば織物、編み物、フェルト、又は、不織布により構成されている。本実施例の絵本１は、織物により構成されている。絵本１は、ページ１０と表紙３０とで構成されている。なお、絵本１は、本発明に係る布製絵本の一例である。
【００１５】
［ページ１０］
ページ１０は、布製であり、複数のページ片１２を備えている。具体的には、ページ１０は、１枚の帯状である基材シート１００を山折り谷折りを交互に行う（蛇腹折り）ことにより、複数のページ片１２を形成している。
ここで、基材シート１００は、例えば織物、編み物、フェルト、又は、不織布により構成することができ、本実施例の基材シート１００は、織物である。具体的には、基材シート１００は、ジャガード織された帯状の織物であり、複数色の色糸を用いた織模様によって絵（例えば、動物、植物、及びキャラクター等を含む）又は文字を形成されている。
【００１６】
また、ページ片１２は、基材シート１００を長手方向に蛇腹折りして構成されている。ページ片１２は、蛇腹折りした状態が維持されるように、基材シート１００におけるページ片１２の端部の少なくとも一部を縫い合わせ、裏返している。本実施例でのページ片１２は、基材シート１００の長手方向において、各ページ片１２の上端１２Ａ及び下端１２Ｂをそれぞれ縫い合わて裏返した状態となっている。ページ片１２は、裏返すことにより、基材シート１００の外縁を内側に隠すことができる。これにより、基材シート１００の外縁のほつれ等を防止する。
また、ページ片１２は、図１（Ａ）に例示するように、既定の大きさの表示領域を備えている。ページ片１２は、ジャガード織によって、表示領域に絵または文字の少なくとも一方を織って形成されている。
また、ページ片１２は、図１（Ｂ）に例示するように、ジャガード織された織物であるため、基材シート１００の表裏面（シート表面１００Ａ及びシート裏面１００Ｂ）での織模様の配色が異なっている。
【００１７】
［表紙］
表紙３０は、布製であり、ページ１０の背側に配置された外装である。表紙３０は、例えば織物、編み物、フェルト、又は、不織布により構成することができ、本実施例の表紙３０は、織物である。表紙３０は、ページ１０と同様にジャガード織された織物である。
このように、絵本１は、ページ１０と表紙３０とで構成されている。
【００１８】
次に、絵本１の製造方法を図２〜図５を用いて説明する。なお、絵本１の製造方法の説明において、織物に形成される絵柄または文字を便宜上、アルファベットで例示する。
図２は、絵本１の製造工程（Ｓ１０）を説明するフローチャートである。
図３は、基材シート１００の製造工程を説明する図である。
図４は、ページ片１２の裏返す前の状態を説明する図である。
図５は、ページ片１２の裏返した後の状態を説明する図である。
図６は、ページ１０に表紙１０を取り付けを説明する図である。
【００１９】
図２に例示するように、ステップ１００（Ｓ１００）において、まず、作業者は、図３（Ａ）に例示するように、既存の織機を用いて、矩形形状の織物シートである織生地２００を織って形成する。
本実施例の織生地２００は、例えば、既存のジャガード織機を用いて複数色の色糸により織って長方形形状に形成される。ジャガード織機で織られたジャガード織により、プリント印刷では表すことのできない凹凸表現や、複雑な絵柄又は文字を表す細やかな表現を実現することができる。
ここで、ジャガード織機とは、ジャガード織りを行う織機である。ジャガード織機は、織生地２００の大きさを適宜設定することができる。具体的には、ジャガード織機は、織方向（織物が製造される方向）と直行する方向（短手方向）の寸法において、織機によって織生地２００の最大短手幅寸法ａが決定している。本実施例のジャガード織機は、短手幅寸法ａが例えば１５０ｃｍ以下となる織生地２００を織ることができる。一方、ジャガード織機は、織方向と同方向（長手方向）の寸法において、織っている織生地を切断しない限り、長手幅寸法ｂの大きさを任意に設定することができる。
【００２０】
本実施例での織生地２００は、図３（Ａ）に例示するように、複数の帯状の基材シート１００が、一枚の織生地２００として並行して織られている長方形形状の布製シートである。言い換えると、織生地２００は、複数の帯状の基材シート１００が短手方向に複数連続した一枚の織生地となっている。この織生地２００の短手幅寸法ａは例えば１５０ｃｍであり、織生地２００の長手幅寸法ｂは例えば４６８ｃｍである。また、各ページの幅寸法ｃは例えば１５ｃｍ〜２１ｃｍであり、本例ではページの幅寸法ｃは１８ｃｍである。
【００２１】
次に、作業者は、織って形成した織生地２００から基材シート１００を裁断する。裁断した基材シート１００の大きさは、例えば、短手幅寸法ｄ２５ｃｍ×長手幅寸法ｅ４６８ｃｍである。織生地２００の短手幅寸法ａが１５０ｃｍのとき、切断する基材シート１００の短手幅寸法ｄが２５ｃｍである場合、織生地２００から取れる基材シート１００の枚数は、短手方向において合計６枚である。さらに、ページの幅寸法ｃが１８ｃｍのとき、基材シート１００の長手幅寸法ｅが４６８ｃｍである場合、基材シート１００のページ数は、１枚に付き２６ページである。なお、基材シート１００のページ数は、絵本１の内容によって適宜変更することができる。具体的には、１枚の基材シート１００を蛇腹状に折り畳んで縫製するため、蛇腹折りする回数を変えることにより、ページ片１２の数を適宜に設定することができる。
以下説明の便宜上、基材シート１００のページ数を一部省略して説明する。
【００２２】
ステップ１０５（Ｓ１０５）において、作業者は、図３（Ｂ）に例示するように、基材シート１００の長手方向に山折り及び谷折りを交互に行い、基材シート１００を蛇腹状に折り曲げる。作業者は、例えば、基材シート１００の表面１００Ａ側に４山、裏面１００Ｂ側に３山作るように蛇腹状に折る。
【００２３】
ステップ１１０（Ｓ１１０）において、作業者は、図４（Ａ）に例示するように、基材シート１００を蛇腹状に折り曲げた状態で、それぞれのページの上端及び下端をそれぞれ縫い合わせる（縫合部１０４）。具体的には、既定のページ片１２の断面Ｘに着目すると、図４（Ｂ）に例示するように、作業者は、基材シート１００の表面１００Ａを内側にした状態で、ページ片１２の両端部をそれぞれ縫い合わせ縫合部１０４を形成する。本実施例の基材シート１００は、基材シート１００の裏面１００Ｂに形成された３山の上端及び下端をそれぞれ縫い合わせる。これにより、ページ片１２は、袋状となり、その内側において、２つの表示面Ｄ及び表示面Ｅが接触しない領域（非縫合領域１６）が形成される。
【００２４】
ステップ１１５（Ｓ１１５）において、作業者は、図５（Ａ）に例示するように、基材シート１００を折り曲げて形成した各ページ片１２を裏返す。具体的には、作業者は、袋状となったページ片１２の内側に裏面１００Ｂを配置し、ページ片１２の外側に表面１００Ａを配置する。これを各ページ片１２を裏返す（ページ１０の作成）。
裏返したページ片１２の断面Ｙに着目すると、図４（Ｂ）に例示するように、裏返したページ片１２は、袋状となったページ片１２の内側に裏面１００Ｂを配置し、ページ片１２の外側に表面１００Ａを配置している。作業者は、ページ片１２を裏返すことにより、縫合部１０４をページ片１２の内側である非縫合領域１６に配置し、縫合線１０５をページ片１２の外形とすることができる。
【００２５】
ステップ１２０（Ｓ１２０）において、作業者は、図６（Ａ）に例示するように、作業者は、作成したページ１０に表紙３０を取り付け、絵本１を作成する。このとき、作業者は、ページ１０の袋状であるページ片１２の非縫合領域１６内にクッション材（例えばウレタン、綿等）や音鳴部材（セロファン等）を詰めた状態で表紙３０を取り付けもよい。これにより、触覚や聴覚を刺激し、絵本１を読む子供（例えば未就学児）に一層興味を持たせることが期待できる。
【００２６】
以上説明したように、本実施例における絵本１は、複数色の色糸により織ったジャガード織により、プリント印刷では表すことのできない凹凸表現や、複雑な絵柄又は文字を表す細やかな表現を織物で実現することができる。これにより、絵本１を読む子供（例えば未就学児）の視覚、聴覚、及び、触覚を刺激し楽しませることができる。
また、絵本１は、布製の絵本であるため、破れない・洗えるだけでなく、書き込む・濡らすこともできるため、遊びの幅が広がる。
また、絵本１は、１枚の布を蛇腹状に折り畳んで縫製するためページ設定に自由度があり、さらに、ページの縫い合せによる繋ぎ目がないため丈夫である。
【００２７】
また、絵本１は、一枚の織生地２００から複数の基材シート１００を裁断して形成するため、裁断するときに端材を出すことなく基材シート１００を形成することができる。よって、製作費用を削減することができる。
また、絵本１は、ページ毎に織ネームを付けることにより、読み聞かせの時にページをめくりやすくすることができる。
以上、本発明に係る実施形態について説明したが、これらに限定されるものではなく、発明の趣旨を逸脱しない範囲内において、種々の変更、追加等が可能である。
【符号の説明】
【００２８】
１        絵本
１０      ページ
１２      ページ片
３０      表紙
１００    基材シート
１０４    縫合部
１０５    縫合線
【図１】
2018103431.tif 000003
【図２】
2018103431.tif 000004
【図３】
2018103431.tif 000005
【図４】
2018103431.tif 000006
【図５】
2018103431.tif 000007
【図６】
2018103431.tif 000008